(57)【要約】【課題】日ごとに自由な時間を予約設定することができ、かつ、既に予約設定がされている日付をユーザーが把握できるように表示する車載用電子機器を提供する。【解決手段】車載用電子機器１において、表示部４には、複数の日付が並べられると共に複数の日付のうち既に予約設定がなされている日付を識別するための予約済マークａが表示された画面Ａが表示される。次に、日付が選択された場合には、該選択された日付と同じ週の複数の日付が並べられた画面Ｂが表示され、次に、日付が選択された場合には、該日付における複数の時間が並べられた画面Ｃが表示される。画面Ｃにおいて時間が選択された場合には、日付および該選択された時間を記憶部３に記憶する。このように、日ごとに自由な時間を予約設定でき、さらに、既に予約設定がされている日付をユーザーが把握できるように表示できる。【選択図】図３
2016088378.tif 000002
【特許請求の範囲】
【請求項１】
充電器（１０２）に車両に備えられたバッテリ（１００）の充電を行わせる日付および時間を予約設定する際にユーザーが操作する操作部（２）と、
前記ユーザーが前記予約設定するために必要な情報を表示する表示部（４）と、
前記操作部および前記表示部を制御する制御部（５）と、を備え、
前記制御部は、
複数の日付が並べられると共に前記複数の日付のうち既に予約設定がなされている日付を識別するための予約済マーク（ａ）が表示された日付画面（Ａ）を前記表示部に表示させる日付画面表示制御手段（Ｓ１１）と、
前記日付画面において前記ユーザーが前記操作部を操作することによって前記複数の日付のうち１つの日付が選択された場合には、前記１つの日付における複数の時間が並べられた時間画面（Ｃ）を前記表示部に表示させる時間画面表示制御手段（Ｓ１５）と、
前記時間画面において前記ユーザーが前記操作部を操作することによって前記１つの日付における前記複数の時間のうちの時間が選択された場合には、前記１つの日付および該選択された前記複数の時間のうちの時間を、予約設定された日付および時間を記憶する記憶部（３）に記憶させる記憶制御手段（Ｓ１７）と、
前記記憶制御手段によって前記記憶部に記憶された前記予約設定された日付および時間において前記充電器に前記バッテリの充電を開始させる充電開始手段（Ｓ２２）と、を備えることを特徴とする車載用電子機器。
【請求項２】
前記日付画面において、１つ又は複数の月に含まれる前記複数の日付が並べられることを特徴とする請求項１に記載の車載用電子機器。
【請求項３】
前記制御部は、前記日付画面において前記ユーザーが前記操作部を操作することによって前記複数の日付のうち１つの日付が選択された場合には、該選択された前記１つの日付と同じ週の複数の日付が並べられた週画面（Ｂ）を前記表示部に表示させる週画面表示制御手段（Ｓ１３）を備え、
前記時間画面表示制御手段は、前記週画面において前記ユーザーが前記操作部を操作することによって前記同じ週の複数の日付のうち１つの日付が選択された場合に前記時間画面を前記表示部に表示させることを特徴とする請求項２に記載の車載用電子機器。
【請求項４】
充電器（１０２）に車両に備えられたバッテリ（１００）の充電を行わせる日付および時間を予約設定する際にユーザーが操作する操作部（２）と、
前記ユーザーが前記予約設定するために必要な情報を表示する表示部（４）と、を備える車載用電気機器の前記制御部に用いられるプログラムであって、
前記制御部を、
複数の日付が並べられると共に前記複数の日付のうち既に予約設定がなされている日付を識別するための予約済マーク（ａ）が表示された日付画面（Ａ）を前記表示部に表示させる日付画面表示制御手段（Ｓ１１）、
前記日付画面において前記ユーザーが前記操作部を操作することによって前記複数の日付のうち１つの日付が選択された場合には、前記１つの日付における複数の時間が並べられた時間画面（Ｃ）を前記表示部に表示させる時間画面表示制御手段（Ｓ１５）、
前記時間画面において前記ユーザーが前記操作部を操作することによって前記１つの日付における前記複数の時間のうちの時間が選択された場合には、前記１つの日付および該選択された前記複数の時間のうちの時間を、予約設定された日付および時間を記憶する記憶部（３）に記憶させる記憶制御手段（Ｓ１７）、
および、
前記記憶制御手段によって前記記憶部に記憶された前記予約設定された日付および時間において前記充電器に前記バッテリの充電を開始させる充電開始手段（Ｓ２２）として機能させるプログラム。
【発明の詳細な説明】
【技術分野】
【０００１】
本発明は、自動車に搭載するカーナビゲーション機器などの電子機器（以下、車載用電子機器という）、および、該車載用電子機器に用いられるプログラムに関する。
【背景技術】
【０００２】
従来、車載用電子機器において、予め予約設定された時間に充電器に車両の充電を行わせるタイマー充電予約機能を有するものが提案されている。この種の車載用電子機器としては、例えば非特許文献１に記載のものがある。この車載用電子機器では、ディスプレイに表示された情報に従って、ユーザーがディスプレイ上のタッチパネルを操作して曜日および時間帯（開始時間、停止時間）を設定することによって、タイマー充電の予約設定が行われる。そして、この車載用電子機器は、予約設定された曜日および開始時間に充電器に車両の充電を開始させて、予約設定された停止時間に充電器に車両の充電を停止させる。
【０００３】
具体的な予約設定の流れは以下の通りである。なお、この車載用電子機器では、２種類の予約設定（「タイマー１設定」と「タイマー２設定」）が可能な仕様となっている。まず、表示部（ディスプレイ）の画面に表示された「タイマー１設定」「タイマー２設定」のいずれかを選択する。例えば、ここでは、まず「タイマー１設定」を選択したとする。ユーザーがいずれかを選択すると、次に、選択された方（タイマー１設定）についてのタイマー充電の開始時刻を入力する画面（「−時−分」というような表示がなされ、「−」の情報をユーザーに入力させるための画面）が表示される。そして、ユーザーが開始時刻を入力すると、次に、タイマー充電の停止時刻を入力する画面が表示される。そして、ユーザーが停止時刻を入力すると、入力した時間帯（開始時刻および停止時刻）が「タイマー１設定」として設定される。なお、「タイマー２設定」についても同様の手順で時間帯が設定される。
【０００４】
次に、各設定（「タイマー１設定」「タイマー２設定」）について曜日の指定を行う。すなわち、まず、表示部の画面に表示された「曜日の指定」をユーザーが選択すると、画面に複数の曜日（月曜日、火曜日、・・・、土曜日、日曜日）が表示される。ユーザーが複数の曜日のそれぞれについて「タイマー１設定」もしくは「タイマー２設定」を指定すると、各曜日について設定（「タイマー１設定」もしくは「タイマー２設定」）が関連付けられ、予約設定が完了する。そして、この車載用電子機器は、各曜日において、指定された設定（「タイマー１設定」もしくは「タイマー２設定」）に対応する時間帯に充電器に車両の充電を行わせる。
【０００５】
このように、この車載用電子機器では、１つまたは２つの時間帯を各曜日に関連付ける予約設定が行われ、予約設定された時間に充電器に充電を行わせる。
【先行技術文献】
【非特許文献】
【０００６】
【非特許文献１】日産自動車株式会社(NISSAN MOTOR CO.,LTD.)、タイマー充電、［online］、［平成26年10月9日検索］、インターネット〈URL：http://n-link.nissan.co.jp/MANUAL/EV/USEFUL/timer01.html〉
【発明の概要】
【発明が解決しようとする課題】
【０００７】
予め予約設定された時間に充電器に車両の充電を行わせるタイマー充電予約機能を有する車載用電子機器としては、日ごとに異なる時間帯を予約設定する等、日ごとに自由な時間について予約設定できるものが好ましい。また、日ごとに自由な時間を予約設定できる車載用電子機器としては、既に予約設定がなされている日付（もしくは、まだ予約設定がなされていない日付）をユーザーが把握できるように表示するものが好ましい。
【０００８】
しかしながら、上記したように、非特許文献１に記載の車載用電子機器では、１つまたは２つの時間帯を各曜日に関連付ける予約設定が行われ、予約設定された時間帯に充電器に充電を行わせる。すなわち、非特許文献１に記載の車載用電子機器では、時間帯のバリエーションが最大２種類に限られ、日ごとに異なる時間を予約設定する等、日ごとに自由な時間を予約設定することはできない。
【０００９】
ここで、車載用電子機器は他の電子機器（例えば、パーソナルコンピュータ）等と比べると表示部の画面のスペースが小さくて同時表示できる情報が少ないため、車載用電子機器において日ごとに自由な時間を予約設定できる構成とするのは困難である。すなわち、例えば、１日分の予約設定を「−年−月−日  −時−分」等と表示するとしても、このような表示を複数の日にち分（特に多くの日にち分）だけ表示することは画面のスペースの事情から困難である。また、例えば、表示部の画面に「−年−月−日  −時−分」等と表示されるようにして、「−」の情報をユーザーに入力させる方式なども考えられるが、この方式としても、既に予約設定がされている日付（もしくは、まだ予約設定がされていない日付）をユーザーが把握できる表示とはなっていないため、利便性に優れない。
【００１０】
本発明は上記点に鑑みて、予め予約設定された時間に充電器に車両の充電を行わせるタイマー充電予約機能を有する車載用電子機器において、日ごとに自由な時間を予約設定することができ、かつ、既に予約設定がされている日付をユーザーが把握できるように表示する構成を提供することを目的とする。
【課題を解決するための手段】
【００１１】
上記目的を達成するため、請求項１〜３に記載の発明では、車載用電子機器において、充電器（１０２）に車両に備えられたバッテリ（１００）の充電を行わせる日付および時間を予約設定する際にユーザーが操作する操作部（２）と、ユーザーが予約設定するために必要な情報を表示する表示部（４）と、操作部および表示部を制御する制御部（５）と、を備え、制御部は、複数の日付が並べられると共に複数の日付のうち既に予約設定がなされている日付を識別するための予約済マーク（ａ）が表示された日付画面（Ａ）を表示部に表示させる日付画面表示制御手段（Ｓ１１）と、日付画面においてユーザーが操作部を操作することによって複数の日付のうち１つの日付が選択された場合には、１つの日付における複数の時間が並べられた時間画面（Ｃ）を表示部に表示させる時間画面表示制御手段（Ｓ１５）と、時間画面においてユーザーが操作部を操作することによって１つの日付における複数の時間のうちの時間が選択された場合には、１つの日付および該選択された複数の時間のうちの時間を、予約設定された日付および時間を記憶する記憶部（３）に記憶させる記憶制御手段（Ｓ１７）と、記憶制御手段によって記憶部に記憶された予約設定された日付および時間において充電器にバッテリの充電を開始させる充電開始手段（Ｓ２２）と、を備えることを特徴とする。
【００１２】
このため、日ごとに自由な時間を予約設定でき、さらに、既に予約設定がされている日付をユーザーが把握できるように表示することができる。
【００１３】
また、請求項４に記載の発明では、充電器（１０２）に車両に備えられたバッテリ（１００）の充電を行わせる日付および時間を予約設定する際にユーザーが操作する操作部（２）と、ユーザーが予約設定するために必要な情報を表示する表示部（４）と、を備える車載用電気機器の制御部に用いられるプログラムにおいて、制御部を、複数の日付が並べられると共に複数の日付のうち既に予約設定がなされている日付を識別するための予約済マーク（ａ）が表示された日付画面（Ａ）を表示部に表示させる日付画面表示制御手段（Ｓ１１）、日付画面においてユーザーが操作部を操作することによって複数の日付のうち１つの日付が選択された場合には、１つの日付における複数の時間が並べられた時間画面（Ｃ）を表示部に表示させる時間画面表示制御手段（Ｓ１５）、時間画面においてユーザーが操作部を操作することによって１つの日付における複数の時間のうちの時間が選択された場合には、１つの日付および該選択された複数の時間のうちの時間を、予約設定された日付および時間を記憶する記憶部（３）に記憶させる記憶制御手段（Ｓ１７）、および、記憶制御手段によって記憶部に記憶された予約設定された日付および時間において充電器にバッテリの充電を開始させる充電開始手段（Ｓ２２）として機能させる。
【００１４】
このため、日ごとに自由な時間を予約設定でき、さらに、既に予約設定がされている日付をユーザーが把握できるように表示することができる。
【００１５】
なお、この欄および特許請求の範囲で記載した各手段の括弧内の符号は、後述する実施形態に記載の具体的手段との対応関係を示すものである。
【図面の簡単な説明】
【００１６】
【図１】本発明の第１実施形態に係る車載用電子機器１を用いたタイマー充電システムに含まれる構成要素を示すブロック図である。
【図２】図１に示す車載用電子機器１における操作部２および表示部４の全体構成を模式的に示す斜視図である。
【図３】図２に示すディスプレイ（表示部４）の画面に表示される内容（情報）を模式的に示す図である。
【図４】図１に示す車載用電子機器１（制御部５）におけるタイマー充電についての制御フロー（予約設定処理）を示す図である。
【図５】図１に示す車載用電子機器１（制御部５）におけるタイマー充電についての制御フロー（充電処理）を示す図である。
【図６】本発明の他の実施形態に係る車載用電子機器１におけるタイマー充電についての制御フロー（充電処理）を示す図である。
【図７】本発明の他の実施形態に係る車載用電子機器１についての第１実施形態における図２に対応する斜視図である。
【発明を実施するための形態】
【００１７】
以下、本発明の実施形態について図に基づいて説明する。なお、以下の各実施形態相互において、互いに同一もしくは均等である部分には、同一符号を付して説明を行う。
【００１８】
（第１実施形態）
本発明の第１実施形態に係る車載用電子機器１について図１〜図５を参照して説明する。この車載用電子機器１は、車両に備えられたバッテリ１００に蓄えられた電気のエネルギーでモータを駆動して走行する電気自動車に搭載され、予め予約設定された時間（時間もしくは時間帯）に充電器１０２（図１を参照）にバッテリ１００（図１を参照）の充電を行わせるタイマー充電予約機能を有する電子機器である。なお、充電器１０２は、車両内に備えられているものである。ここでは、車載用電子機器１は、カーナビゲーション機器として構成されている。
【００１９】
図１に示すように、本実施形態に係る車載用電子機器１は、操作部２と、記憶部３と、表示部４と、操作部２、記憶部３、および表示部４を制御する制御部５とを有する構成とされている。
【００２０】
操作部２は、ユーザーが充電を行わせる日付および時間を予約設定する際に操作する部分である。操作部２は、表示部４（ディスプレイ）の前面に重ねて設けられたタッチスイッチ、表示部４の画面の周囲に配置されたメカニカルスイッチ等によって構成され得るが、ここでは、図２に示すように、表示部４の前面に重ねて設けられたタッチスイッチによって構成されている。すなわち、この車載用電子機器１では、ユーザーがタッチスイッチをタッチ操作することで操作可能となっている。そして、操作部２は、ユーザーのスイッチ操作に応じた信号を制御部５（ＣＰＵ等）へ出力する。
【００２１】
記憶部３は、制御部５の制御に従って、予約設定された日付および時間を記憶する部分であり、書き換え可能な記憶媒体（例えば、フラッシュメモリ）等により構成されている。「予約設定された日付および時間」とは、具体的には、充電を行う予定の年月日や時間（開始時間、停止時間）を特定するためのデータである。
【００２２】
表示部４は、予約設定のために必要な情報を表示する部分であり、ここでは、ディスプレイによって構成されている。表示部４は、制御部５の制御に従って、記憶部３に記憶された「予約設定された日付および時間」に応じた情報を表示する（図３の符号Ａ、Ｂ、Ｃを参照。各画面Ａ〜Ｃの内容詳細は後述する）。
【００２３】
制御部５は、操作部２、記憶部３、および表示部４を制御する部分であり、ＣＰＵ、ＲＡＭ、ＲＯＭ、ハードディスクドライブ、Ｉ／Ｏ等を備えたコンピュータとして構成されている。ＣＰＵはＲＯＭに記憶されたプログラムに従って各種処理（図４、図５に示す処理）を実施する。
【００２４】
以上、本実施形態に係る車載用電子機器１の構成について説明した。この車載用電子機器１は、記憶部３に記憶された「予約設定された日付および時間」の間、充電器１０２にバッテリ１００の充電を行わせる。具体的には、ここでは、図１に示すように、車両にはバッテリ１００の充電を制御する充電制御ＥＣＵ（Electronic Control Unit：電子制御ユニット）１０１が備えられており、車載用電子機器１は、充電制御ＥＣＵ１０１を介して、記憶部３に記憶された充電を開始する予定の年月日および時間を特定するためのデータに基づいて、充電器１０２にバッテリ１００の充電を開始させる。これにより、充電器１０２は、充電スポット２００（充電ステーション、自宅などの車外施設）から電力の供給を受けて、バッテリ１００を充電する。同様に、車載用電子機器１は、記憶部３に記憶された充電を停止する予定の年月日および時間を特定するためのデータに基づいて、充電器１０２にバッテリ１００の充電を停止させる。
【００２５】
次に、本実施形態に係る車載用電子機器１（制御部５）におけるタイマー充電についての制御処理について、図４、図５を参照して説明する。本処理は、記憶部３に記憶されたカーナビゲーション機器を制御するプラグラムに含まれ、該プログラムに含まれる他の処理と共に実行される。図４のフローは、予約設定処理を示すものであり、図５のフローは、充電処理を示すものである。
【００２６】
図４に示すように、まず、制御部５は、表示部４に、複数の日付（図３中の画面Ａにおける「１」「２」…「３０」）が並べられると共に該複数の日付のうち既に予約設定がなされている日付を識別するための予約済マーク（図３中の符号ａを参照）が表示された画面（図３の画面Ａの内容を参照）を表示させる（Ｓ１１）。具体的には、記憶部３に記憶された「充電を行う予定の年月日や時間」を特定するためのデータに基づいて、所定の１つ又は複数（図３の例では、２０１４年の６月の１つ）の月に含まれる日付が並べられ、この並べられた日付のうち既に予約設定がなされている日付（図３の例では、「３」「５」「７」「９」）については、各日付にそれぞれ予約済マーク（図中の符号ａを参照）が表示される。なお、この画面Ａが、特許請求の範囲に記載の日付画面に相当する。
【００２７】
画面Ａにおいてユーザーの操作によって複数の日付のうち１つの日付（特定の日付）が選択された場合には（Ｓ１２：ＹＥＳ）、制御部５は、該選択された１つの日付と同じ週の複数の日付が並べられた画面（図３の画面Ｂの内容を参照）を表示させる（Ｓ１３）。具体的には、例えば、図３に示すように、ユーザーのタッチ操作によって、画面Ａにおいて複数の日付（図３中の画面Ａにおける「１」「２」…「３０」）のうち「４」が選択された場合には、「４」日と同じ週の複数の日付（「４」「５」…「１０」）が並べられた画面Ｂが表示される。このとき、既に予約設定された時間帯がある場合には、画面Ｂにおいて、既に予約設定された時間帯（図３中の画面Ｂの内容を参照）が表示される。なお、この画面Ｂが、特許請求の範囲に記載の週画面に相当する。
【００２８】
画面Ｂにおいてユーザーの操作によって上記同じ週の複数の日付のうち１つの日付（特定の日付）が選択された場合には（Ｓ１４：ＹＥＳ）、制御部５は、該１つの日付における複数の時間（「１」「２」…「２４」）が並べられた画面（図３の画面Ｃの内容を参照）を表示させる（Ｓ１５）。具体的には、例えば、図３に示すように、ユーザーのタッチ操作によって、同じ週の複数の日付（「４」「５」…「１０」）のうち「５」が選択された場合には、「５」日における複数の時間（「１」「２」…「２４」）が並べられた画面Ｃが表示される。このとき、既に予約設定された時間帯がある場合には、画面Ｃにおいて、既に予約設定された時間帯に対応する予約済マーク（図３中の符号ｂを参照）が表示される。図３の例では、「５」日において、「８」時から「１６」時まで既に予約設定されている。なお、この画面Ｃが、特許請求の範囲に記載の時間画面に相当する。
【００２９】
画面Ｃにおいてユーザーの操作によって１つの日付における複数の時間（「１」「２」…「２４」）のうちの時間（特定の時間もしくは時間帯）が選択された場合には（Ｓ１６：ＹＥＳ）、制御部５は、１つの日付および該選択された複数の時間のうちの該時間を記憶部３に記憶させる（Ｓ１７）。具体的には、例えば、ユーザーのタッチ操作によって、１つの日付における複数の時間（「１」「２」…「２４」）のうちの「１６」〜「１７」が選択された場合には（図３中の符号ｃを参照）、制御部５は、２０１４年６月５日の「１６」時から「１７」時までを特定するためのデータを記憶部３に記憶させる。そして、図３に示すように、画面Ｃにおいて、既に予約設定された時間帯に対応する予約済マーク（図３中の符号ｃを参照）が表示される。こうして、予約設定が終了する（この例では、新たに２０１４年６月５日の１６時から１７時までについて予約設定される）。
【００３０】
なお、画面Ａにおいてユーザーが操作部２を操作することによって複数の日付のうち１つの日付が選択されない場合には（Ｓ１２：ＮＯ）、ステップＳ１２に戻る。
【００３１】
また、画面Ｂにおいてユーザーの操作によって同じ週の複数の日付のうち１つの日付が選択されない場合には（Ｓ１４：ＮＯ）、ステップＳ１４に戻る。
【００３２】
また、画面Ｃにおいてユーザーの操作によって１つの日付における複数の時間のうちの時間が選択されない場合には（Ｓ１６：ＮＯ）、ステップＳ１６に戻る。
【００３３】
図５に示すように、充電の開始時間になったときに（Ｓ２１：ＹＥＳ）、制御部５は、充電器１０２にバッテリ１００の充電を開始させる（Ｓ２２）。具体的には、制御部５は、記憶部３に記憶された充電を開始する予定の年月日と時間を特定するためのデータに基づいて充電器１０２にバッテリ１００の充電を開始させる。
【００３４】
その後、充電の停止時間になったときに（Ｓ２３：ＹＥＳ）、制御部５は、充電器１０２にバッテリ１００の充電を停止させる（Ｓ２４）。具体的には、制御部５は、記憶部３に記憶された充電を停止する予定の年月日と時間を特定するためのデータに基づいて充電器１０２にバッテリ１００の充電を停止させる。こうして、充電が終了する。
【００３５】
なお、充電の開始時間にならないときは（Ｓ２１：ＮＯ）、ステップＳ２１に戻る。
【００３６】
また、充電の停止時間にならないときは（Ｓ２３：ＮＯ）、ステップＳ２３に戻る。
【００３７】
以上、本実施形態に係る車載用電子機器１（制御部５）におけるタイマー充電についての制御処理について説明した。
【００３８】
この車載用電子機器１によれば、表示部４の画面のスペースが小さく同時表示できる情報が少ない車載用電子機器１において、日ごとに自由な時間を予約設定でき、さらに、既に予約設定がされている日付をユーザーが把握できるように表示することができる。
【００３９】
上記で説明したように、本実施形態に係る車載用電子機器１は、表示部４には、まず、複数の日付が並べられると共に複数の日付のうち既に予約設定がなされている日付を識別するための予約済マークａが表示された画面Ａが表示される。具体的には、画面Ａには、１つ又は複数の月に含まれる複数の日付が並べられて表示される。次に、画面Ａにおいてユーザーの操作によって複数の日付のうち１つの日付が選択された場合には、該選択された１つの日付と同じ週の複数の日付が並べられた画面Ｂが表示される。次に、画面Ｂにおいてユーザーの操作によって同じ週の複数の日付のうち１つの日付が選択された場合には、該１つの日付における複数の時間が並べられた画面Ｃが表示される。そして、画面Ｃにおいてユーザーの操作によって１つの日付における複数の時間のうちの時間が選択された場合には、１つの日付および該選択された複数の時間のうちの時間を記憶部３に記憶する。
【００４０】
この車載用電子機器１によれば、日ごとに自由な時間を予約設定でき、さらに、既に予約設定がされている日付をユーザーが把握できるように表示することができる。
【００４１】
（他の実施形態）
本発明は上記した実施形態に限定されるものではなく、特許請求の範囲に記載した範囲内において適宜変更が可能である。
【００４２】
第１実施形態に係る車載用電子機器１において、制御部５は、図６に示すように、ステップＳ２５の後（充電の開始時間になった後）において、満充電になった場合には（Ｓ２５：ＹＥＳ）、（停止時間になる前であっても）充電器１０２にバッテリ１００の充電を停止させて（Ｓ２４）、充電処理を終了するようにしてもよい。なお、このとき、満充電になっていない場合には（Ｓ２５：ＮＯ）、ステップＳ２３に進むようにすればよい。
【００４３】
なお、第１実施形態では、画面Ａにおいて、１つ又は複数の月に含まれる複数の日付が並べられて表示される並べ方としていたが、本発明に係る車載用電子機器１における複数の日付が並べられる類型としては、この並べ方に限られるものではない。
【００４４】
また、第１実施形態に係る車載用電子機器１では記憶部３を備える構成としていたが、第１実施形態において、車載用電子機器１に記憶部３を備えない構成とし、外部に備えられた記憶部３を用いるようにしても良い。外部に備えられた記憶部３としては、パーソナルコンピュータ（ハードディスクやメモリ）やＵＳＢメモリ等を用いることができる。そして、例えば、第１実施形態において、車載用電子機器１の操作部２が操作されることによりタイマー充電の予約設定を行われたときに、外部に備えられた記憶部３であるＵＳＢメモリ等に「予約設定された日付および時間」を記憶するようにすれば良い。
【００４５】
また、車載用電子機器１にも記憶部３を設け、外部に備えられた記憶装置に記憶された「予約設定された日付および時間」を車載用電子機器１に設けられた記憶部３に取り込むことができるようにしても良い。例えば、スマートフォンやパーソナルコンピュータのハードディスクに記憶された「予約設定された日付および時間」を電子メールによって送信することで車載用電子機器１の記憶部３に取り込むことができるようにしても良い。
【００４６】
また、第１実施形態に係る車載用電子機器１では、制御部５は、画面Ａ（日付画面）を表示させた後（Ｓ１１）、画面Ａにおいて複数の日付のうち１つの日付が選択された場合（Ｓ１２：ＹＥＳ）に画面Ｂ（週画面）を表示し、画面Ｂにおいて上記同じ週の複数の日付のうち１つの日付が選択された場合（Ｓ１４：ＹＥＳ）に該１つの日付における複数の時間が並べられた画面Ｃ（時間画面）を表示させていた。しかしながら、第１実施形態に係る車載用電子機器１において、画面Ｂを省略しても良い。すなわち、第１実施形態に係る車載用電子機器１において、制御部５が、画面Ａにおいて複数の日付のうち１つの日付が選択された場合（Ｓ１２：ＹＥＳ）、Ｂ画面を表示させずに、画面Ｃを表示させる（Ｓ１５）構成とされていても良い。この場合、第１実施形態の場合と同様、画面Ｃにおいて１つの日付における複数の時間のうちの時間が選択された場合に（Ｓ１６：ＹＥＳ）、制御部５は、１つの日付および該選択された複数の時間のうちの該時間を記憶部３に記憶させる（Ｓ１７）ようにすれば良い。
【００４７】
第１実施形態に係る車載用電子機器１では、操作部２を、表示部４の前面に重ねて設けられたタッチスイッチによって構成していた。しかしながら、図７に示すように、第１実施形態に係る車載用電子機器１において、表示部４（ディスプレイ）を構成する機器における画面のうち、上側の領域を表示部４（画面Ａ〜Ｃ等を表示する部分）とし、下側の領域を操作部３としても良い。
【符号の説明】
【００４８】
２      操作部
３      記憶部
４      表示部
５      制御部
１００  バッテリ
１０２  充電器
【図１】
2016088378.tif 000003
【図２】
2016088378.tif 000004
【図３】
2016088378.tif 000005
【図４】
2016088378.tif 000006
【図５】
2016088378.tif 000007
【図６】
2016088378.tif 000008
【図７】
2016088378.tif 000009